(57)【要約】【課題】  計器（端子）と電線の接続・切断について、その手順の遵守、作業時間の短縮、誤接続を防止することができる電力量計を提供する。【解決手段】  複数の端子６、６、６が並設された端子部５と、該端子部５に取り付けられ、端子に電線を各別に接続するための固定具９と、を備え、該固定具９は、接地用端子（第１の端子）６ａに接地用電線（第１の電線）４ｗを接続するための第１固定用部品１０と、前記端子部５に取り付けられた前記第１固定用部品１０を避け前記第１の端子６を覆うための収納部が形成され、前記第１の端子以外の端子に他の電線を各別に接続するための第２固定用部品と、を有し、接地用電線４ｗを接地用端子６ａに接続するための第１固定用部品１０を前記端子部５に取り付けなければ、他の電線４ｒ、４ｂを他の端子６、６に接続するための第２固定用部品１５を端子部５に取り付けられないようにする。【選択図】  図１
2020085693.tif 000002
【特許請求の範囲】
【請求項１】
複数の端子が並設された端子部と、
該端子部に取り付けられ、前記端子に電線を接続するための固定具と、を備え、
前記固定具は、第１の端子に第１の電線を接続するための第１固定用部品と、
前記端子部に取り付けられた前記第１固定用部品を避け前記第１の端子を覆うための収納部が形成され、前記第１の端子以外の端子に他の電線を各別に接続するための第２固定用部品と、を有する
ことを特徴とする電力量計。
【請求項２】
第１の電線を第１の端子に接続するための第１固定用部品を端子部に取り付ける第１取着手段と、
他の電線を他の端子に接続するための第２固定用部品を端子部に取り付ける第２取着手段と、を備え、
各固定用部品を端子部に取り付けたときに第１の電線は第１の端子に、他の各電線は他の端子にそれぞれ接続するようにした、
ことを特徴とする請求項１に記載の電力量計。
【請求項３】
第１固定用部品を端子部に仮止めする第１仮止め手段と、
第２固定用部品を端子部に仮止めする第２仮止め手段と、
第１の電線を第１の端子に接続する第１接続手段と、
他の各電線を他の各端子に接続する第２接続手段とを備え、
第１接続手段及び第２接続手段により各電線を各対応する端子に接続したときに、前記第１仮止め手段及び第２仮止め手段による第１固定用部品と端子部との取り付け、及びを前記第２仮止め手段による第２固定用部品と端子部との取り付けが完了するようにした、
ことを特徴とする請求項１に記載の電力量計。
【請求項４】
第２固定用部品の正面であって各電線に対応した部位に、第２固定用部品により接続された各電線の被覆の色と同色の目印を設けた、
ことを特徴とする請求項１から３のいずれか１項に記載の電力量計。
【請求項５】
電力量計の端子部に取り付けられ、前記端子部に電線を接続するための固定具であって、
第１の端子に第１の電線を接続するための第１固定用部品と、
前記端子部に取り付けられた前記第１固定用部品を避け前記第１の端子を覆うための収納部が形成され、前記第１の端子以外の端子に他の電線を各別に接続するための第２固定用部品と、を備えた
ことを特徴とする固定具。
【発明の詳細な説明】
【技術分野】
【０００１】
この発明は、例えば一般家庭における電気使用量を計量する電力量計に関し、特に電力量計の取替え時等における、電源側電線および負荷側電線の接続順番や取り外し順番の間違えをなくするための電力量計に関するものである。
【背景技術】
【０００２】
電力量計は、電力会社からの電力が導かれる電源側電線と、需要家宅に電力を導く負荷側電線との間に介在し、需要家宅の使用電気量を計量している。一般的に電源側電線、負荷側電線も単相３線式が採用され、計６本の電線が使用される。
【０００３】
電力量計の取替え時等において、電源側電線および負荷側電線の接続順番や取り外し順番が重要で、これを間違えると、思わぬ事故に繋がる。そのため、接地用電線には白色被覆、他の２線は赤色被覆、黒色被覆のように視覚的に明瞭な色別できるようにして、接続箇所、接続の順番などが誤らないような工夫が施されている。
【０００４】
特許文献１にあっては、端子部と第１端子カバーとの間に第２端子カバーを設け、この第２端子カバーに接地用端子を覆う部位を設けることで、誤って最初に接地用端子と接地用電線との接続を取り外さないようにしている。
【先行技術文献】
【特許文献】
【０００５】
【特許文献１】特開２００７−１７０９９号公報
【発明の概要】
【発明が解決しようとする課題】
【０００６】
しかしながら、特許文献１の発明にあっては、第２端子カバーを付けた状態にするか外した状態にするかは作業者が行うことであり、作業者のミスを完全に克服することはできず、手順の誤り及び誤接続を皆無にすることはできないという問題があった。
【０００７】
また、作業中に第２端子カバーを取り付けたり、外したりすること自体が面倒であり、作業工数及び作業時間の増大に繋がるという問題もあった。
【０００８】
さらに、電線と端子との接続には本来不必要な端子カバーという部品が必須であり、部品点数が多くなるという問題もあった。
【０００９】
そこで、本発明の目的は、計器（端子）と電線の接続・切断について、その手順の遵守、作業時間の短縮、誤接続を防止することができる電力量計を提供することにある。
【課題を解決するための手段】
【００１０】
上記課題を解決するために、請求項１の発明は、複数の端子が並設された端子部と、該端子部に取り付けられ、前記端子に電線を接続するための固定具と、を備え、該固定具は、第１の端子に第１の電線を接続するための第１固定用部品と、前記端子部に取り付けられた前記第１固定用部品を避け前記第１の端子を覆うための収納部が形成され、前記第１の端子以外の端子に他の電線を各別に接続するための第２固定用部品と、を有することを特徴とする。
【００１１】
この発明によれば、第１の電線を第１の端子に接続するための第１固定用部品を前記端子部に取り付けなければ、他の電線を他の端子に接続するための第２固定用部品を端子部に取り付けることができない。
【００１２】
請求項２の発明は、請求項１に記載の電力量計において、第１の電線を第１の端子に接続するための第１固定用部品を端子部に取り付ける第１取着手段と、他の電線を他の端子に接続するための第２固定用部品を端子部に取り付ける第２取着手段とを備え、各固定用部品を端子部に取り付けたときに第１の電線は第１の端子に、他の各電線は他の端子にそれぞれ接続するようにした、ことを特徴とする。
【００１３】
請求項３の発明は、請求項１に記載の電力量計において、第１固定用部品を端子部に仮止めする第１仮止め手段と、第２固定用部品を端子部に仮止めする第２仮止め手段と、第１の電線を第１の端子に接続する第１接続手段と、他の各電線を他の各端子に接続する第２接続手段とを備え、第１接続手段及び第２接続手段により各電線を各対応する端子に接続したときに、前記第１仮止め手段及び第２仮止め手段による第１固定用部品と端子部との取り付け、及びを前記第２仮止め手段による第２固定用部品と端子部との取り付けが完了するようにした、ことを特徴とする。
【００１４】
請求項４の発明は、請求項１乃至請求項３のいずれかに記載の電力量計において、第２固定用部品の正面であって各電線に対応した部位に、各固定用部品により接続された各電線の被覆の色と同色の目印（色）を設けた、ことを特徴とする。
【００１５】
請求項５の発明は、電力量計の端子部に取り付けられ、前記端子部に電線を接続するための固定具であって、第１の端子に第１の電線を接続するための第１固定用部品と、前記端子部に取り付けられた前記第１固定用部品を避け前記第１の端子を覆うための収納部が形成され、前記第１の端子以外の端子に他の電線を各別に接続するための第２固定用部品と、を備えたことを特徴とする。
【発明の効果】
【００１６】
請求項１及び請求項５の発明によれば、先ず、第１固定部品を端子部に取り付けてこれによる第１の電線と第１の端子との接続を行なわなければ、第２固定部品を端子部に取付けることができないため、電線と端子との接続の順番を誤ることが回避され、また、電線と端子との接続の取り外しについても、第２固定用部品の取り外す、すなわち、他の電線と端子との接続の取り外しを行わなければ、第１の電線と第１の端子との接続を取り外しができないようになっており、電線と端子との接続の取り外しの順番を誤ることはなくなる。
【００１７】
請求項２の発明によれば、固定用部品を端子部に取り付ける取着手段を設け、該取着手段による固定用部品の端子への取付時に電線と端子との接続を行うようにしたので、取付けるための部品点数及び工数を少なくすることができる。
【００１８】
請求項３の発明によれば、固定用部品を端子部に仮止めする仮止め手段を設け、電線を端子に接続するときに、固定用部品と端子部との取付を完了するようにしたので、取付けるための部品点数及び工数を少なくすることができるとともに、電線と端子との接続を接続したので両者の締付不良を改善でき、異常電圧の発生を抑制することができる。
【００１９】
請求項４の発明によれば、第２固定用部品の正面であって各電線に対応した部位に、各電線の被覆の色と同色の目印を設けたので、誤接続を視覚的に防止することができる。
【図面の簡単な説明】
【００２０】
【図１】図２及び図３とともに本発明の実施の形態１を示し、本図は電力量計の全体を、各電線と各固定用部品とを本体に対して取り付ける様子を分解して示す斜視図である。
【図２】本体に各電線を取り付ける手順を示す水平断面図であり、（ａ）は〜状態を、（ｂ）は〜状態を、（ｃ）は〜状態を、それぞれ示すものである。
【図３】各固定用部品を本体に取り付けた状態の正面図を示し、（ａ）は第１固定用部品を、（ｂ）は第２固定用部品を、それぞれ示すものである。
【図４】図３とともに本発明の実施の形態２を示し、本図は電力量計の全体を、各電線と各固定用部品とを端子部に対して取り付ける様子を分解して示す斜視図で、（ａ）は第１固定用部品を、（ｂ）は第２固定用部品を、それぞれ示すものである。
【図５】本体に各電線を取り付ける手順を示す水平断面図であり、（ａ）は第１固定用部品を端子部に取付ける様子を、（ｂ）は第２固定用部品を端子部に取付ける様子を、（ｃ）は第１固定用部品及び第２固定用部品を端子部に取付けた状態を、それぞれ示すものである。
【発明を実施するための形態】
【００２１】
以下、この発明を図示の実施の形態に基づいて説明する。
【００２２】
（実施の形態１）
図１は、この実施の形態１にかかる電力量計１の概略を示す斜視図である。
【００２３】
図２（ａ）〜（ｃ）は、各電線を電力量計１の端子に取り付ける工程を示す断面図である。
【００２４】
図３は、各電線を電力量計１の端子に取り付けた状態を示す正面図であり、（ａ）は第１固定用部品により中央の電線を取り付けた状態、（ｂ）は第２固定用部品により左右両側の電線を取り付けた状態を示すものである。
【００２５】
電力量計１は、図１に示すように、需要家宅の電力使用量を計量する計量部２と、計量結果などを表示する表示部３と、一次側および二次側の電線４、４、…が接続される端子部５、５とを備える。
【００２６】
端子部５、５には、正面側から向かって左側の端子部５に一次側の電線４、４、４が接続される単相３線用の３つの一次側端子６、６、６が配設され、右側の端子部５に二次側の電線４、４、４が接続される単相３線用の３つの二次側端子６、６、６が配設されている。
【００２７】
なお、一次側（左側）の電線４、４、４と端子部５との接続と、二次側（右側）の電線４、４、４と端子部５との接続とは同一構造により取り付けられているため、説明は右側の二次側電線４、４、４と端子部５との接続について説明する。
【００２８】
電線４、４、４は中央の接地用電線（請求項記載の「第１の電線」に相当する）４ｗの被覆が白色で、その左側の電線４ｒの被覆が赤色、右側の電線４ｂの被覆が黒色となっている。
【００２９】
３つの端子６、６、６のうち、中央の接地用端子（請求項記載の「第１の端子」に相当する）６ａの左右両側方にはネジ孔７、７が、また左側端子６の左方にはネジ孔８が、さらに右側端子６の右方にはネジ孔８がそれぞれ形成されている。
【００３０】
端子部５には、各端子６、６、６に電線４、４、４をそれぞれ接続するための固定具９が取り付けられる。
【００３１】
固定具９は、後述するように第１固定用部品１０と第２固定用部品１５とを有する。
【００３２】
中央の接地用電線４ｗと中央の接地用端子６ａとの接続は第１固定用部品１０により行われる。
【００３３】
第１固定用部品１０は、矩形のブロック体からなり、その背面に縦方向に伸びる凹溝１１が形成され、該凹溝１１は、その幅が接地用電線４ｗの導線の直径とほぼ同じで、その深さが接地用電線４ｗの導線の直径よりやや小さく形成されている。
【００３４】
第１固定用部品１０の上記凹溝１１を挟むようにその左右には凹溝１１の深さ方向と同方向に貫通するネジ挿通孔１２、１２が形成され、これらネジ挿通孔１２、１２は上記中央の接地用端子６ａの左右両側方に形成されたネジ孔７、７にそれぞれ対向するようになっている。
【００３５】
第２固定用部品１５は、上記第１固定用部品１０よりも幅広でその中央に上記第１固定用部品１０を収納する収納部１６が形成され、これを挟むように２つの凹溝１７、１７が形成されている。
【００３６】
なお、第１固定用部品１０の正面には白色塗装１０ｗが施されており、接地用電線４ｗの被覆の色と同じ白色であるため、第１固定用部品１０を取り付ける際に電線４を他の色の電線４ｒ（赤色）や４ｂ（黒色）と誤ることはない。
【００３７】
第２固定用部品１５の収納部１６は第１固定用部品１０の外形とほぼ同じ大きさをしており、第１固定用部品１０がほぼぴったり収納部１６内に収まるようになっている。
【００３８】
第２固定用部品１５の２つの凹溝１７、１７は上記第１固定用部品１０の凹溝１１と同じ大きさ、形状に形成されている。
【００３９】
第２固定用部品１５の上記２つの凹溝１７、１７の左方及び右方には凹溝１７の深さ方向と同方向に貫通するネジ挿通孔１８、１８がそれぞれ形成され、これらネジ挿通孔１８、１８は上記左側又は右側の端子６、６の左方又は右方に形成されたネジ孔８、８にそれぞれ対向するようになっている。
【００４０】
なお、第２固定用部品１５の正面は、左側部分１５ｒが赤色、中央部分１５ｗが白色、右側部分１５ｂが黒色に目印として塗装されており、これにより、それぞれ対応する色の電線４ｒ（赤色）又は電線４ｂ（黒色）をそれぞれの凹溝２６、２６に挿入させればよいことを視覚的に容易に判断することができ、誤って異なる色の電線を取り付けることが防止される。
【００４１】
しかして、第１固定用部品１０及び第２固定用部品１５による各電線４ｗ、４ｂ、４ｒと端子６、６、６との接続は次のようにして行われる。
【００４２】
先ず、中央の接地用電線４ｗの導線部分を第１固定用部品１０の凹溝１１内に嵌合させ、この状態から端子部５の中央の接地用端子６ａに接地用電線４ｗの導線部分を接触させ、ネジ１３、１３をネジ挿通孔１２、１２に通して端子部５のネジ孔７、７に螺合する。このネジ孔７、７とネジ１３、１３とが取着手段として機能する。そして、このとき、凹溝１１の深さは接地用電線４ｗの導線の直径よりやや小さいため接地用電線４ｗの導線は端子６に接続されることになる。
【００４３】
次に、電線４ｒ、４ｂの導線部分をそれぞれ第２固定用部品１５の凹溝１７、１７内に嵌合させ、この状態から端子部５の左右の端子６、６に電線４ｒ、４ｂの導線部分を接触させ、ネジ１９、１９をネジ挿通孔１８、１８を通して端子部５のネジ孔８、８に螺合する。このとき、凹溝１７、１７の深さは電線４ｒ、４ｂの導線の直径よりやや小さいため電線４ｒ、４ｂの導線は端子６、６にそれぞれ接続されることになる。
【００４４】
上記実施の形態１にあっては、第１固定用部品１０による取付けが完了しなければ、第２固定用部品１５による取付ができないようになっているため、電線４ｗ、４ｒ、４ｂと各端子６、６、６との接続は、先ず、中央の接地用電線４ｗを中央の接地用端子６ａに接続しなければ、左右の電線４ｒ、４ｂと各端子６、６との接続ができず、その手順や接続を間違えることが防止される。逆に、接続状態の各電線４ｗ、４ｒ、４ｂと端子６、６、６とを取り外すときは、第２固定用部品１５を端子部５から取り外さなければ、接地用電線４ｗを接地用端子６ａから断線することはできず、取り外すときの手順を遵守することができる。
【００４５】
（実施の形態２）
この実施の形態２は２つの固定用部品の端子部５への取付方のみが上記実施の形態１と相違するものであり、他の部分については同じである。したがって、相違する部分についてのみ説明し、他の部分については、上記実施の形態１と同一符号を付すことにより説明は省略する。
【００４６】
中央の接地用端子６ａの左右両側には断面Ｌ字溝２０、２０が形成され、また、左側の端子６の左側には同様に断面Ｌ字溝２７が、右側の端子６の右側には同様に断面Ｌ字溝２７が、それぞれ形成されている。
【００４７】
第１固定用部品２５は、上記第１の実施の形態における第１固定用部品１０とほぼ同様にその背面側に縦方向に伸びる凹溝２６が形成されている。該凹溝２６を構成する左右の脚部にはそれぞれ外方に突出し、縦方向に伸びる凸条２７、２７が形成され、これら凸条２７、２７が端子部５に形成された断面Ｌ字溝２０、２０に下方から挿入されて、第１固定用部品２５が端子部５に取り付けられるようになっている。このとき、第１固定用部品２５は端子部５に対して断面Ｌ字溝２０、２０へ凸条２７、２７の挿入は多少余裕を持った状態となっており、仮止め手段として機能する。
【００４８】
第１固定用部品２５が端子部５に取り付けられた状態で、前記凹溝２６に上記接地用電線４ｗの導線が左右方向はほぼぴったりで深さ方向ではやや余裕を持った状態で内嵌する大きさになっている。
【００４９】
第１固定用部品２５にはその正面から凹溝２６内に貫通するネジ孔２８が形成され、該ネジ孔２８に正面側から締付ネジ２９が螺合するようになっている。そして、締付ネジ２９をネジ孔２８に締付けると締付ネジ２９の先端が接地用電線４ｗを正面から押し付け、接地用電線４ｗを端子６に接続するとともにその反力が仮止め手段としての断面Ｌ字溝２０、２０と凸条２７、２７との挿入状態が締まることになる。従って、締付ネジ２９のネジ孔２８への螺合は接続手段として機能する。
【００５０】
第２固定用部品３０は、上記第１の実施の形態における第２固定用部品１５とほぼ同様にその背面の中央部に第１固定用部品２５を収納する収納部３１が形成され、これを挟むように２つの凹溝３２、３２が形成されている。また、第２固定用部品３０の左右両側面の背面側にはそれぞれ外方に突出し、縦方向に伸びる凸条３３、３３が形成され、これら凸条３３、３３が端子部５に形成された断面Ｌ字溝２１、２１に下方から挿入されて、第２固定用部品３０が端子部５に取り付けられるようになっている。このとき、第２固定用部品３０は端子部５に対して断面Ｌ字溝２１、２１へ凸条３３、３３の挿入は多少余裕を持った状態となっており、仮止め手段として機能する。
【００５１】
第２固定用部品３０の凹溝３２、３２は、端子部５に取り付けられた状態で、上記電線４ｒ、４ｂがそれぞれ左右方向はほぼぴったりで深さ方向ではやや余裕を持った状態で内嵌する大きさになっている。
【００５２】
第２固定用部品３０にはその正面から各凹溝３２、３２内に貫通するネジ孔３４、３４が形成され、これらネジ孔３４、３４に正面側からネジ３５、３５が螺合するようになっている。そして、締付ネジ３５、３５をネジ孔３４、３４に締付けると締付ネジ３５、３５の先端が電線４ｒ、４ｂを正面から押し付け、電線４ｒ、４ｂを端子６、６に接続するとともにその反力が仮止め手段としての断面Ｌ字溝２１、２１と凸条３３、３３との挿入状態が締まることになる。従って、締付ネジ３５、３５のネジ孔３４、３４への螺合は接続手段として機能する。
【００５３】
しかして、第１固定用部品２５及び第２固定用部品３０による各電線４ｗ、４ｂ、４ｒと端子６、６、６との接続は次のようにして行われる。
【００５４】
先ず、中央の接地用電線４ｗの導線部分を第１固定用部品２５の凹溝２６内に嵌合させ、この状態から凸条２７、２７を端子部５の中央の接地用端子６ａの左右両側にある断面Ｌ字溝２０、２０に下方から挿入し、接地用電線４ｗの導線部分を接地用端子６ａに接触させる。そして、第１固定用部品２５のネジ孔２８に正面から締付ネジ２９を螺合し、接地用電線４ｗを接地用端子６ａに接続させる。締付ネジ２９による接地用電線４ｗの接地用端子６ａへの接続により、その反力が凸条２７、２７と断面Ｌ字溝２０、２０との結合を強固にし、第１固定用部品２５が端子部５に固定される。
【００５５】
次に、電線４ｒ、４ｂの導線部分をそれぞれ第２固定用部品３０の凹溝３２、３２内に嵌合させ、この状態から凸条３３、３３を端子部５の左右の端子６、６の左右両側にある断面Ｌ字溝３２、３２に下方から挿入し、電線４ｒ、４ｂの導線部分を端子６、６に接触させる。このとき、すでに端子部５に取り付けられた第１固定用部品２５は第２固定用部品３０の収納部３１内に収納される。
【００５６】
そして、第２固定用部品３０のネジ孔３４、３４に正面から締付ネジ３５、３５を螺合し、電線４ｒ、４ｂを端子６、６に接続させる。締付ネジ３５、３５による電線４ｒ、４ｂの端子６、６への接続により、その反力が凸条３３、３３と断面Ｌ字溝２１、２１との結合を強固にし、第１固定用部品２５が端子部５に固定される。
【００５７】
上記実施の形態２にあっても、第１固定用部品２５による取付けが完了しなければ、第２固定用部品３０による取付ができないようになっているため、電線４ｗ、４ｒ、４ｂと各端子６、６、６との接続は、先ず、中央の接地用電線４ｗを中央の接地用端子６ａに接続しなければ、左右の電線４ｒ、４ｂと各端子６、６との接続ができず、その手順を間違えることが防止される。逆に、接続状態の各電線４ｗ、４ｒ、４ｂと端子６、６、６とを取り外すときは、第２固定用部品３０を端子部５から取り外さなければ、接地用電線４ｗを接地用端子６ａから断線することはできず、取り外すときの手順を遵守することができる。
【００５８】
また、この実施の形態２にあっては、締付ネジ２９、３５、３５による締付具合で、各電線４、４、４と各端子６、６、６との接続（接触）具合を調整することができ、締付不良により異常電圧の発生を抑制することができる。
【００５９】
以上、この発明の実施の形態について説明したが、具体的な構成は、前記実施の形態に限られるものではなく、この発明の要旨を逸脱しない範囲の設計の変更等があっても、この発明に含まれる。
【符号の説明】
【００６０】
１        電力量計
４        電線
４ｗ      接地用電線（白色）(第１の電線)
４ｒ      左側電線（赤色）
４ｂ      右側電線（黒色）
５        端子部
６ａ      接地用端子（第１の端子）
６        端子
７        ネジ孔（取着手段）
８        ネジ孔（取着手段）
９        固定具
１０      第１固定用部品
１０ｗ    目印（白色）
１３      ネジ（取着手段）
１５      第２固定用部品
１５ｗ    目印（白色）
１５ｒ    目印（赤色）
１５ｂ    目印（黒色）
１６      収納部
１７      凹溝
１９      ネジ（取着手段）
２０      断面Ｌ字溝（仮止め手段）
２１      断面Ｌ字溝（仮止め手段）
２４      固定具
２５      第１固定用部品
２６      凹溝
２７      凸条（仮止め手段）
２８      ネジ孔
２９      締付ネジ（接続手段）
３０      第２固定用部品
３１      収納部
３２      ２つの凹溝
３３      凸条（仮止め手段）
３４      ネジ孔      
３５      締付ネジ（接続手段）
【図１】
2020085693.tif 000003
【図２】
2020085693.tif 000004
【図３】
2020085693.tif 000005
【図４】
2020085693.tif 000006
【図５】
2020085693.tif 000007